(57)【要約】【課題】受枠の内側に列状に装着される複数枚の蓋体を簡単な構造で施錠することができるとともに、その蓋体の取り除きおよび再装着の作業を容易に能率よく行なうことができる共同溝の蓋施錠装置を提供する。【解決手段】共同溝の開口部に設けられる受枠１と、この受枠１の内側の複数枚の蓋体２ａ，２ｂとを備え、各蓋体２ａ，２ｂは受棚６の上に載置され、特定の１つの蓋体２ａには、該蓋体２ａを施錠する錠部１３が設けられ、受枠１の内側面には受棚６の上方でかつ前記各蓋体２ｂに対応する位置にそれぞれ受け突起１０が設けられ、その各蓋体２ｂの側面には、その対応する前記受け突起１０の下側に入り込んでその受け突起１０と対向する掛け突起１１がそれぞれ設けられている。開口部を開放するときには、まず特定の蓋体２ａを取り除き、その空位側に残りの蓋体２ｂを水平移動させながら順次取り除く。【選択図】    図４
0003117801.tif 000002
【実用新案登録請求の範囲】
【請求項１】
共同溝の開口部に設けられる受枠と、この受枠の内側に列状に互いに隣接して並ぶように装着される複数枚の蓋体とを備え、前記受枠の内側面には受棚が水平に設けられ、前記各蓋体は前記受棚の上に載置され、前記複数枚の蓋体のうちの特定の１つの蓋体には、該蓋体を施錠する施錠手段が設けられ、前記受枠の内側面には前記受棚の上方でかつ少なくとも前記特定の蓋体を除く残りの各蓋体に対応する位置にそれぞれ受け突起が設けられ、前記残りの各蓋体の側面には、その対応する前記受け突起の下側に入り込んでその受け突起と対向する掛け突起がそれぞれ設けられていることを特徴とする共同溝の蓋施錠装置。
【考案の詳細な説明】
【技術分野】
【０００１】
この考案は、電線等を敷設するための共同溝の開口部を閉じる蓋体を施錠する共同溝の蓋施錠装置に関する。
【背景技術】
【０００２】
電線等を敷設する共同溝には地表に露出する開口部が設けられている。この開口部には長方形の枠状をなす受枠が設置され、この受枠の内側に複数枚の蓋体が互いに隣接して列状に並ぶように装着され、これら蓋体により前記開口部が閉じられている。そして防犯対策や不測の開放を防止するために蓋体に対する施錠装置が設けられている。
【０００３】
従来においては、複数枚の蓋体にそれぞれ錠部を設けて施錠するようにしており、このためコストが嵩み、また錠開閉の作業も面倒となることから、実用新案登録第３１０３８１１号（特許文献１）に見られるように、複数枚の蓋体のうちの特定の１つの蓋体にのみ錠部を設けるだけで、すべての蓋体を受枠に対して施錠することができるようした共同溝の蓋施錠装置が提案されている。
【０００４】
すなわちこのものは、受枠の内側に複数枚の蓋体が列状に装着され、そのうちの１つの特定の蓋体に錠部が設けられている。受枠の長手方向の内側には受棚が設けられ、各蓋体の底部両側がその受棚の上に載置され、その受棚に沿って受枠の長手方向に水平移動させることが可能となっている。そして前記特定の蓋体を除く他の残りの蓋体には、前記受棚の下側に延びてその受棚と対向する開放防止金具が設けられているとともに、前記受棚には蓋体の水平移動に応じて前記開放防止金具と対向することが可能な切欠部が設けられている。
【０００５】
開口部の閉蓋状態のもとでは、各蓋体が互いに隣接して列状に並ぶためその水平移動が不能であるとともに、特定の１つの蓋体は前記錠部により受枠に係止され、他の残りの蓋体はその開放防止金具と受棚との対向で上方への持ち上げが不能となっており、したがってすべての蓋体が受枠に施錠され、その開放が防止される。
【０００６】
共同溝の開口部を開放するときには、まず特定の蓋体の錠部に所定のキーを差し込んでその蓋体と受枠との係止を解除し、その特定の蓋体を上方に持ち上げて受枠から取り除く。そして特定の蓋体の取り除きで空位となった空間側に向けて残りの蓋体を所定距離だけ、すなわちその蓋体の開放防止金具が受棚の切欠部に対向する位置まで水平移動させ、この状態でその残りの蓋体を上方に持ち上げて受枠から取り除く。このようにして各蓋体を受枠から取り除くことにより共同溝の開口部を開放することができるようになっている。
【特許文献１】実用新案登録第３１０３８１１号
【考案の開示】
【考案が解決しようとする課題】
【０００７】
しかしながら、このような従来の構造では、特定の蓋体を除く他の残りの蓋体を受枠から取り除くときに、その蓋体の開放防止金具と受棚の切欠部とが的確に対向合致する所定の位置にまで蓋体を移動させなければならず、その位置がずれれば取り除きができず、このためその作業が面倒で能率が低下する恐れがある。そこで、特許文献１のものでは、受棚の下側に蓋体の移動位置を規制するストッパを設けるようにしているが、ストッパを設けることにより構造が複雑となり、コストが嵩んでしまう。
【０００８】
また、蓋体を再度受枠に装着するときには、蓋体の開放防止金具を受棚の切欠部の位置に合せ、この状態を保持しながら開放防止金具を受棚の切欠部に通して蓋体を受棚の上に載置しなければならず、このため作業が面倒で能率が低下する。
【０００９】
この考案はこのような点に着目してなされたもので、その目的とするところは、受枠の内側に列状に装着される複数枚の蓋体を簡単な構造で施錠することができるとともに、その蓋体の取り除きおよび再装着の作業を容易に能率よく行なうことができる共同溝の蓋施錠装置を提供することにある。
【課題を解決するための手段】
【００１０】
この考案の蓋施錠装置は、共同溝の開口部に設けられる受枠と、この受枠の内側に列状に互いに隣接して並ぶように装着される複数枚の蓋体とを備え、前記受枠の内側面には受棚が水平に設けられ、前記各蓋体は前記受棚の上に載置され、前記複数枚の蓋体のうちの特定の１つの蓋体には、該蓋体を施錠する施錠手段が設けられ、前記受枠の内側面には前記受棚の上方でかつ少なくとも前記特定の蓋体を除く残りの各蓋体に対応する位置にそれぞれ受け突起が設けられ、前記残りの各蓋体の側面には、その対応する前記受け突起の下側に入り込んでその受け突起と対向する掛け突起がそれぞれ設けられていることを特徴としている。
【００１１】
共同溝の開口部を開放するときには、まず特定の１つの蓋体の施錠を外して受枠から取り除く。この取り除きにより受枠の内側の一部が空位となるから、その空位側に残りの蓋体を受棚に沿って水平移動させ、その蓋体の掛け突起を受枠の止め突起から離脱させながら順次蓋体を受枠から取り除く。これにより共同溝の開口部が開放される。また、開口部を閉じるときには、その開放時の逆の手順により受枠の内側に各蓋体を嵌め込む。
【考案の効果】
【００１２】
この考案の蓋施錠装置によれば、受枠の内側に列状に装着される複数枚の蓋体を簡単な構造で施錠することができるとともに、その蓋体の取り除きおよび再装着の作業を容易に能率よく行なうことができる。
【考案を実施するための最良の形態】
【００１３】
以下、この考案の一実施形態について図面を参照して説明する。
【００１４】
図１には共同溝の蓋施錠装置の平面図を、図２には図１中のＡ−Ａ線に沿う断面図を、図３には蓋施錠装置の一部の分解状態の斜視図を、図４（Ａ）には蓋施錠装置の縦断面図を示してある。
【００１５】
図１に示すように、共同溝の開口部に設けられる受枠１は長方形状をなし、この受枠１の内側に特定の１つの蓋体２ａと、他の残りの複数の蓋体２ｂとが列状に互いに隣接して並ぶように装着され、これら蓋体２ａ，２ｂにより共同溝の開口部が閉じられている。
【００１６】
受枠１は、その長手方向に沿って延びる２つの長辺部３と、長手方向と直角の方向に延びる２つの短辺部４とで長方形状に形成され、その長辺部３と短辺部４とに渡って周回する起立周壁５を有している。そして両側の長辺部３における起立周壁５の内側面中段部には水平な受棚６が一体的に突出形成されている。
【００１７】
各蓋体２ａ，２ｂはそれぞれ同じ四角形の容器状をなし、上端の周縁にはその外周側に突出する鍔片７が一体的に形成されている。この鍔片７は蓋体２ａ，２ｂの上端の周縁に沿って連続するように形成されている。
【００１８】
受枠１の内側に装着された各蓋体２ａ，２ｂは、その底面の縁部が受枠１の受棚６の上に載置されてそれぞれ水平に支持されている。特定の１つの蓋体２ａは受枠１の長手方向の一端側の端部に配置され、残りの蓋体２ｂは前記特定の蓋体２ａと連なって受枠１の長手方向に順次並ぶように配置されている。
【００１９】
受枠１の両側の長辺部３の区間における起立周壁５の内側面には、受枠１の内側に並ぶ各蓋体２ａ，２ｂに対応してそれぞれ受け突起１０が一体的に突出形成されている。これら受け突起１０は、各蓋体２ａ，２ｂの両側の側面の中間部に対応する位置に設けられている。そして特定の１つの蓋体２ａを除く、他の残りの蓋体２ｂの両側の側面の中間部には前記受け突起１０に対応してそれぞれ掛け突起１１が一体的に突出形成され、これら掛け突起１１がその対応する前記受け突起１０の下側に入り込んで対向し、これにより蓋体２ｂの上方への移動が阻止されている。
【００２０】
特定の１つの蓋体２ａには錠部１３が設けられている。この錠部１３は、蓋体２ａの一辺部、すなわち受枠１の長手方向の一端側における短辺部４と隣接する一辺部の中間部に設けられている。この錠部１３は、シリンダ錠１４と、このシリンダ錠１４に対する操作に応じて回動するロック片１５とを備え、受枠１の前記短辺部４の中間部には前記ロック片１５と係合可能な係合片１６が一体的に突出形成されている。そして、前記ロック片１５が前記係合片１６の下側に入り込んで係合し、この係合で蓋体２ａの上方への移動が阻止されている。
【００２１】
特定の蓋体２ａにおける前記錠部１３の反対側の外側面には、止め突起１８が一体的に突出形成されている。そして特定の蓋体２ａと隣接する蓋体２ｂにおける鍔片７の下側に前記止め突起１８が入り込んで対向し、これにより前記蓋体２ｂに対して特定の蓋体２ａの上方への移動が阻止されている。
【００２２】
なお、容器状に形成された各蓋体２ａ，２ｂの内部には、共同溝の開口部の周辺部における路面の舗装材と同じ、あるいはその舗装材と調和する舗装材が充填されるものである。
図４には、各蓋体２ａ，２ｂで閉じられた共同溝の開口部を開放するときの手順を順に示してある。図４（Ａ）は各蓋体２ａ，２ｂが施錠されているときの状態で、各蓋体２ａ，２ｂは受枠１内に互いに隣接して装着されているため水平方向への移動が不能で、また特定の蓋体２ａを除く残りの蓋体２ｂにおいては、その両側の掛け突起１１と受枠１の両側の受け突起１０との係合で上方への移動が不能であり、さらに特定の蓋体２ａにおいては錠部１３のロック片１５と受枠１の係合片１６との係合、および蓋体２ａの止め突起１８と隣接する蓋体２ｂの鍔片７との係合で上方への移動が不能であり、したがって蓋体２ａ，２ｂを取り外すことはできない。
【００２３】
この状態から共同溝の開口部を開放するときには、まず特定の蓋体２ａの錠部１３のシリンダ錠１４にキー（図示せず）を差し込んで回動操作し、ロック片１５を受枠１の係合片１６の下方部分から離脱させる。
【００２４】
これによりロック片１５と係合片１６との係合が外れるから、次に図４（Ｂ）に示すように、特定の蓋体２ａの錠部１３側の端部を上方に引き上げて蓋体２ａを傾斜させるとともに、この蓋体２ａを受枠１の長手方向に沿ってその端部外方側に移動させて蓋体２ａを受枠１から取り除く。
【００２５】
蓋体２ａの取り除きにより図４（Ｃ）に示すように、受枠１の一端側の端部の内側が空位となる。受枠１の内側に残る他の蓋体２ｂは、受枠１の受棚６の上に水平移動可能に載置されているから、まず前記空位側に臨む蓋体２ｂを前記受棚６に沿ってその空位側に所定以上水平移動させる。
【００２６】
この移動により、前記蓋体２ｂの掛け突起１１が受枠１の受け突起１０の下方から離脱してその掛け突起１１と受枠１の受け突起１０との係合が外れるから、この状態でその蓋体２ｂを図４（Ｄ）に示すように上方に引き上げて受枠１から取り除く。
【００２７】
この際、前記蓋体２ｂは掛け突起１１が受け突起１０から離脱する所定以上移動させるだけで、特に限られた特定の位置にまで移動させる必要はなく、このためその取り除きの作業を容易に能率よく行うことができる。
【００２８】
同様に、他の残りの蓋体２ｂも受枠１の内側の空位側に水平移動させてその掛け突起１１と受枠１の受け突起１０との係合を外すとともに、上方に引き上げて受枠１から順次取り除く。この際にも前記蓋体２ｂを所定以上移動させるだけで、特に限られた特定の位置にまで移動させる必要がないから、その取り除きの作業を容易に能率よく行うことができる。このように、受枠１の内側からすべての蓋体２ａ，２ｂを取り除くことにより、共同溝の開口部が開放される。
【００２９】
一方、共同溝の開口部を再び閉じるときには、蓋体２ｂを受枠１の上方からその内側に嵌め込んで受棚６の上に載置するとともに、その受棚６に沿って所定の位置まで水平移動させる。蓋体２ｂを受枠１の内側に嵌め込む際には、その蓋体２ｂの掛け突起１１が受枠１の受け突起１０と対向しない位置、つまり受け突起１０を避けてその受け突起１０の両側の空間域と対向する位置に掛け突起１１を配置させてその掛け突起１１を前記空間域に通しながら蓋体２ｂを下方に引き降ろして受棚６の上に載置する。そしてその蓋体２ｂを受棚６に沿って所定の位置まで水平移動させる。この移動でその蓋体２ｂの掛け突起１１が受枠１の受け突起１０の下側に入り込んでその受け突起１０と対向し、これによりその蓋体２ｂが受枠１に係止され、上方への引き上げが不能となる。
【００３０】
受枠１の受け突起１０の両側には長い区間の空間域が存在しており、このため蓋体２ｂを受枠１の内側に嵌め込む際に、その掛け突起１１を前記空間域に容易に通すことができ、したがってその嵌め込みの作業を容易に能率よく行なうことができる。
【００３１】
このようにして、各蓋体２ｂを受枠１の内側に順次嵌め込んで列状に並べる。そして受枠１の一端側の空位の部分に錠部１３を有する特定の蓋体２ａを嵌め込み、その蓋体２ａの止め突起１８を隣接する蓋体２ｂの鍔片７の下側に挿入し、また錠部１３のシリンダ錠１４にキーを差し込み、このキーの操作でロック片１５を回動させて受枠１の係合片１６の下側にその係合片１６と対向するように配置させ、この後キーを抜き取る。これにより受枠１の内側に装着されたすべての蓋体２ａ，２ｂが受枠１に対して施錠される。
【００３２】
このように、この考案の蓋施錠装置によれば、受枠１の内側に列状に装着される複数枚の蓋体２ａ，２ｂを簡単な構造で的確に施錠することができるとともに、その各蓋体２ａ，２ｂの取り除きおよび再装着の作業を容易に能率よく行なうことができる。
【００３３】
なお、前記実施形態では、受枠１の内側面に、その内側に列状に並ぶ各蓋体２ａ，２ｂのそれぞれに対応して受け突起１０を設けるようにしたが、錠部１３を有する特定の蓋体２ａに対応する部分には受け突起１０を設ける必要は特になく、したがって受枠１の内側面には特定の蓋体２ａを除く残りの各蓋体２ｂのみに対応して受け突起１０を設けるような場合であってもよい。
【図面の簡単な説明】
【００３４】
【図１】この考案の一実施形態に係る共同溝の蓋施錠装置を示す平面図。
【図２】図１中のＡ−Ａ線に沿う断面図。
【図３】その蓋施錠装置の一部分の分解状態の斜視図。
【図４】その蓋施錠装置の蓋体を受枠から取り除くときの手順を順に示す断面図。
【符号の説明】
【００３５】
１…受枠
２ａ．２ｂ…蓋体
５…起立周壁
６…受棚
１０…受け突起
１１…掛け突起
１３…錠部
１４…シリンダ錠
１５…ロック片
１６…係合片
１８…止め突起
【図１】
0003117801.tif 000003
【図２】
0003117801.tif 000004
【図３】
0003117801.tif 000005
【図４】
0003117801.tif 000006